(57)【要約】【課題】  記入しやすく、綴じられた用紙を痛めることもなく、携帯性を良くすることが可能なファイルとこのファイルに使用する冊子の提供を目的としている。【解決手段】  冊子１０を綴じるための、表紙２と背表紙３と裏表紙４とからなるファイル１であって、背表紙３の裏側に設けられた、冊子１０を保持する冊子保持部８と、冊子１０の背の外側に突出するように設けられた、冊子保持部８を挿通する孔を備えた綴じ孔部１１，１５と、冊子保持部８と対向する位置に設けられ、冊子保持部８の貫通孔に挿入されて係合し冊子１０の脱落を防止する脱落防止部９，２３と、を備えることを特徴としている。【選択図】図１
2007136771.tif 000002
【特許請求の範囲】
【請求項１】
冊子を綴じるための、表紙と背表紙と裏表紙とからなるファイルであって、
前記背表紙の裏側に設けられた、前記冊子を保持する冊子保持部と、
前記冊子の背の外側に設けられ、前記冊子保持部を挿通する孔を備えた綴じ孔部と、
前記冊子保持部の貫通孔に挿入されて係合し前記冊子の脱落を防止する脱落防止部と、
を備えることを特徴とするファイル。
【請求項２】
前記脱落防止部が、前記ファイルに係止されているを特徴とする請求項１記載のファイル。
【請求項３】
前記脱落防止部は、広幅部と狭幅部とがある弾性枠体で、広幅部が狭められて前記冊子保持部の貫通孔に進入し、貫通孔を通り抜けたとき広幅部が元の広さに復帰することで脱落防止部が冊子保持部に係合することを特徴とする。請求項１又は２記載のファイル。
【請求項４】
用紙を積層し、一端で綴じた冊子であって、
該冊子をファイルするための綴じ孔部が、前記用紙を綴じた一端である背の外側に突出するように取り付けられていることを特徴とする冊子。
【請求項５】
前記冊子は、積層して２つ折りにした用紙を、折り目部分で綴じた物であることを特徴とする請求項４記載の冊子。
【請求項６】
前記綴じ孔部は、凸形状の枠体であり、テープによって前記背に取り付けられていることを特徴とする請求項４又は５記載の冊子。
【請求項７】
前記綴じ孔部は、薄板に設けられた孔であり、前記薄板の長辺の一端が前記背に取り付けられていることを特徴とする請求項４又は５記載の冊子。
【請求項８】
前記綴じ孔部は、薄板の長辺の１つに設けられた凹形状の切欠部であり、該切欠部が設けられた長辺を、前記背に取り付けることを特徴とする請求項４又は５記載の冊子。
【請求項９】
前記綴じ孔部は、薄板の長辺の１つに設けられた凹形状の切欠部であり、該切欠部の設けられていない長辺を前記背に取り付け、前記切欠部に針金が設けられていることを特徴とする請求項４又は５記載の冊子。
【請求項１０】
前記冊子と前記冊子に取り付けられた綴じ孔部とを覆うカバーを有することを特徴とする請求項４から９のいずれかに記載の冊子。
【発明の詳細な説明】
【技術分野】
【０００１】
本発明は記入しやすく、綴じられた用紙を痛めることもなく、携帯性を良くすることが可能なファイルと、このファイルに綴じられる冊子とに関する。
【背景技術】
【０００２】
予定表や住所録等を記入する手帳には、カバー両端に設けられた袋状の部分に予定表等の冊子の表紙部分を挟み込むタイプのものや、システム手帳等のようにリング等の形状をした綴じ具にパンチ孔の開いた用紙を綴じるタイプのもの（例えば特許文献１を参照）、主に記入済みの用紙等を綴じるために使用されるファイル、さらにはカバーと、カバーに装着するホルダとを有し、カバーとホルダとの間に冊子を装着することで複数の冊子をまとめて持ち歩けるようにしたもの（例えば特許文献２を参照）等がある。
【特許文献１】特開平１１−２７７９４０号（図１）
【特許文献２】特開平０９−１１６６６号（段落００１０，図５）
【発明の開示】
【発明が解決しようとする課題】
【０００３】
しかし、カバーに冊子の表紙を挟み込むタイプのものは、カバーの表紙部分と裏表紙部分に設けられた袋状の部分に１冊ずつ、合計で２冊の冊子しか挟み込めず、３冊以上の冊子をまとめて持ち歩くことができない。
【０００４】
また、システム手帳や特許文献１のようにリング等の綴じ具にパンチ孔を開けた用紙を綴じるタイプのものは、用紙を見開き状態にして使用することができるが、用紙に予定等を書き込む時に、綴じ具が邪魔になって書きにくい。また、綴じ具のリング径が大きくなれば多くの用紙を綴じることができるが、綴じ具が大きくなる分システム手帳全体も厚くなり、携帯性が損なわれる。また、多量の用紙を綴じた場合には、用紙をめくる時に綴じ具で用紙を痛めることがある。
【０００５】
ファイルには、システム手帳のように用紙にパンチ孔を開けて綴じるタイプのものと、用紙の端部を綴じ具で押さえつけるタイプのものとがあるが、用紙にパンチ孔を開けるタイプのものはシステム手帳と同じ問題が有り、用紙の端部を押さえつけるタイプのファイルの場合は、用紙を見開きの状態で保つことができない。
【０００６】
特許文献２の場合は、冊子をカバーに綴じる為にホルダを使用する分、カバーの厚みが増すので携帯性が悪いという問題がある。
【０００７】
そこで、本発明は記入しやすく、綴じられた用紙を痛めることもなく、携帯性を良くすることが可能なファイルとこのファイルに使用する冊子とを提供することを目的としている。
【課題を解決するための手段】
【０００８】
上記目的を達成するために本発明のファイルは、表紙と背表紙と裏表紙とからなるファイルであって、前記背表紙の裏側に設けられた、前記冊子を保持する冊子保持部と、前記冊子の背の外側に設けられ、前記冊子保持部を挿通する孔を備えた綴じ孔部と、前記冊子保持部の貫通孔に挿入されて係合し前記冊子の脱落を防止する脱落防止部と、を備えることを特徴としている。
【０００９】
さらに、前記脱落防止部が、前記ファイルに係止されている構成としたり、前記脱落防止部は、広幅部と狭幅部とがある弾性枠体で、広幅部が狭められて前記冊子保持部の貫通孔に進入し、貫通孔を通り抜けたとき広幅部が元の広さに復帰することで脱落防止部が冊子保持部に係合する構成とすることもできる。
【００１０】
本発明の冊子は、用紙を積層し、一端で綴じた冊子であって、該冊子をファイルするための綴じ孔部が、前記用紙を綴じた一端である背の外側に突出するように取り付けられていることを特徴としている。
【００１１】
前記綴じ孔部は、凸形状の枠体であり、テープによって前記背に取り付けられている構成としたり、前記綴じ孔部は、薄板に設けられた孔であり、前記薄板の長辺の一端が前記背に取り付けられている構成としたり、前記綴じ孔部は、薄板の長辺の１つに設けられた凹形状の切欠部であり、該切欠部が設けられた長辺を、前記背に取り付ける構成としたり、前記綴じ孔部は、薄板の長辺の１つに設けられた凹形状の切欠部であり、該切欠部の設けられていない長辺を前記背に取り付け、前記切欠部に針金が設けられている構成としたり、前記冊子と前記冊子に取り付けられた綴じ孔部とを覆うカバーを有する構成とすることができる。
【発明の効果】
【００１２】
本発明のファイルによれば、背表紙の裏側に設けられた冊子保持部に冊子の綴じ孔部を挿通して脱落防止部で冊子の脱落を防止することで、冊子を開いたときに、記入面に綴じ孔部が現れることがないため、記入がしやすく、ページをめくるときに用紙を痛めない。また、冊子保持部と綴じ孔部が枠体なので、冊子保持部と綴じ孔部を薄く小さくでき、ファイル全体を小型化できて携帯性が良くなる。
【００１３】
本発明の冊子によれば、本発明の冊子は、用紙を積層し、一端で綴じた冊子であって、該冊子をファイルするための綴じ孔部が、前記用紙を綴じた一端である背の外側に突出するように取り付けられていることで、記入面に綴じ孔部が現れることがないので、記入がしやすく、ページをめくるときに用紙を痛めることがない。
【発明を実施するための最良の形態】
【００１４】
次に、本発明のファイルを、図面を基に説明する。
図１は本発明のファイルの構成図である。ファイル１は、厚紙又は樹脂等で形成された長方形のシート状のものであり、幅方向の中央付近に折り目を２つ設けることで、表紙２、背表紙３、裏表紙４が形成されている。表紙２の裏側にはポケット５が設けられている。ポケット５は樹脂等で形成された四角形のシートであり、外側の２辺が表紙２の端部に接着剤等によって固定されている。ポケット５には名刺やメモ等の小さな紙片を一時的に収納できるようになっている。裏表紙４の前小口には、ボールペン等の筆記具６を挿通して保持するための筆記具保持具７が設けられている。筆記具保持具７は柔軟性のある樹脂又は布等を円筒形に形成したものであり、中空部分に筆記具６を挿通することで、筆記具６を保持する。背表紙３の内側には、冊子保持部８と脱落防止部９が設けられている。
【００１５】
冊子１０は、市販されているスケジュール帳、住所録、メモ帳等である。これらはいずれも、二つ折りにした紙の折り目部分を綴じる中綴じによって製本された物である。しかし、本発明は、このような冊子１０以外にも、平綴じ等によって製本された冊子を使用することもできる。冊子１０の背の外側には、綴じ孔部１１が固定部材１２によって冊子１０の背から突出するように取り付けられている。
【００１６】
図２は、冊子の第１実施例を示す図である。綴じ孔部１１は針金１３を折り曲げて形成された凸形状の部分である。図２では、２つの綴じ孔部１１があるが、本発明は綴じ孔部１１を２つに限定するものではない。綴じ孔部１１を複数形成する場合には、それぞれの綴じ孔部１１が同一の方向に向くように形成する。また、図２では、綴じ孔部１１を形成した針金１３は、冊子１０の背の長さと同じ長さになっているが、冊子１０の背よりも短くても良い。また、１本の針金１３に複数の綴じ孔部１１を形成するのではなく、１本の針金１３に１つの綴じ孔部１１を形成して、複数の針金１３を冊子１０の背に固定してもよい。綴じ孔部１１は、針金１３で形成されているので、綴じ孔部１１の厚さは、針金１３の径となり、冊子１０の厚さより薄くなるようにしている。
【００１７】
固定部材１２は、製本等に使用するテープを使用することができる。テープの幅方向で二つ折りにし、綴じ孔部１１を突出させるための切欠部１４が折り目を中心にして左右対称に形成されている。切欠部１４は固定部材１２にカッターナイフ等で切り込みを入れたものでも良い。
【００１８】
冊子１０に綴じ孔部１１を固定するには、次のような手順で行う。まず、綴じ孔部１１を形成した針金１３を固定部材１２の折り目に挟む。この時、綴じ孔部１１が切欠部１４から突出するようにする。次に、固定部材１２の折り目を冊子１０の中綴じ孔部分に合わせ、固定部材１２を冊子１０に貼り付ける。固定部材１２を冊子１０の表紙と裏表紙にかかるように貼り付けることで、綴じ孔部１１が冊子１０にしっかりと固定される。
【００１９】
図３は冊子の第２実施例を示す図であり、（ａ）は綴じ孔部を冊子に取り付ける前の状態を示す図で、（ｂ）は綴じ孔部を冊子に取り付けた状態を示す図である。薄板１６は、金属又は硬質の樹脂シート等でできた長方形の薄板であり、薄板１６に設けられた長方形の孔が綴じ孔部１５である。薄板１６の長辺方向の長さは冊子１０の背の長さとほぼ等しい。薄板１６には針金又は紐等でできたループ部１７が設けられている。ループ部１７は薄板１６の長辺方向の両端に取り付けられており、薄板１６とループ部１７との間に空間１８が形成されている。
【００２０】
薄板１６を冊子１０に取り付けるには、冊子１０の中綴じ孔部分を開き、一方の端から冊子１０を空間１８に差し込み、薄板１６を冊子１０の中綴じ孔部分まで移動して冊子１０を閉じる。それによって、図３（ｂ）に示すように、冊子１０の背の外側に突出するように綴じ孔部１５を設けることができる。
【００２１】
図４は冊子の第３実施例を示す図であり、（ａ）は斜視図、（ｂ）は上面図である。冊子１０は冊子本体１０１の背１０２に薄板１０３を取り付け、冊子本体１０１及び薄板１０３を表紙と裏表紙が一体になったカバー１０４で覆ったものである。薄板１０３の一方の端部には切欠部１０５があり、切欠部１０５にできた開口部分に針金１０６を通すことで開口部分を塞いでいる。切欠部１０５と針金１０６によって、長方形の開口部である綴じ孔部１０７が形成されている。このような構成の冊子１０も、綴じ孔部１０７が冊子本体１０１の背から突出した位置に設けられているため、冊子１０を見開き状態に開くことができ、記入時に冊子保持部８が邪魔になることもない。カバー１０４は、冊子本体１０１の最も外側の用紙と薄板１０３に、接着剤等で貼り付けられている。薄板１０３の厚さは、冊子１０の厚さと同じか薄くなるようにしている。
【００２２】
図５は冊子の第４実施例を示す図であり、（ａ）は冊子の斜視図、（ｂ）は綴じ孔部を冊子に取り付ける前の状態を示す図である。冊子１０の背１１０には薄板１１１が取り付けられている。薄板１１１の背１１０に取り付けられた端部に設けられた切欠部が綴じ孔部１１２となっている。薄板１１１は、図５（ｂ）に示すように中央に折り目１１３が設けられた長方形の板であり、折り目１１３上に綴じ孔部１１２が穿設されている。薄板１１１を冊子１０に取り付けるには、折り目１１３を冊子１０の背１１０に縫いつけ又は接着等の手段によって取り付け、その後、薄板１１１の左端１１４と右端１１５を接着剤等で貼りあわせる。そうすることで、図５（ａ）に示すような形状となる。薄板１１１としては、紙、合成樹脂製のシート等を使用することができる。
【００２３】
図６は、冊子の第５実施例を示す図であり、（ａ）は斜視図、（ｂ）は見開き状態の正面図である。冊子１０は中綴じされたものであり、その背１２０に切欠部１２１があり、その開口部を針金１２２が塞いでいる。この切欠部１２１と針金１２２が綴じ孔部１２３を構成している。冊子１０を図６（ｂ）のように見開きの状態にすると、冊子１０の背１２０である折り目の部分に、長方形の孔が穿設されている。そして孔の中央に針金１２２が取り付けられている。針金１２２は冊子１０の内側に設けても良いし、背１２０の外側に取り付けた状態でもよい。綴じ孔部１２３は、針金１２２で開口部を塞がれた状態なので、冊子１０の端部に形成することができ、綴じ孔部１２３が冊子１０の余白からはみ出ることがない。冊子１０は容易に開いて、記入がしやすく、ページをめくるときに用紙を痛めない。
【００２４】
図７は、ファイルの第１実施例を示す図である。ファイル１の背表紙３には、内側に背板１９が設けられている。冊子保持部８は１本の針金８１の２ヶ所を凸形状に折り曲げて加工した枠体となっており、枠の内側は貫通孔となっている。そして、針金８１の折り曲げていない部分が背板１９の右端に固定されている。針金８１の外径は、冊子保持部８の長さＬの値や保持する冊子１０の冊数により変えることができるが、図７の実施例の場合は、約０．５ｍｍである。冊子保持部８の長さＬは背表紙３の幅よりも少し短い。背板１９は２つの冊子保持部８が設けられた位置で３つに分割されている。
【００２５】
なお、本実施例で冊子保持部８は、１本の針金８１の２ヶ所に凸形状を設けているが、２本の針金８１に１つずつ凸形状を形成したものであってもよく、また凸形状も２つに限定するものではない。
【００２６】
背板１９の左端には脱落防止部９ある。脱落防止部９は樹脂等でできた板９１と、板９１を背板１９に取り付ける布製等の帯９２、及び冊子保持部８に係合する係合部９３とを有するものである。係合部９３は脱落防止部９にループ状に取り付けられた針金等の先端を、約１８０度折り返して形成したフックである。
【００２７】
図８は、本発明のファイルに冊子を綴じた状態を示す図である。上記のファイル１に冊子１０を綴じるためには、次のような手順となる。冊子１０に取り付けられた綴じ孔部１１に冊子保持部８を挿通する。冊子保持部８には複数の冊子１０を挿通することができる。冊子保持部８に挿通できる冊子１０の冊数は冊子保持部８の長さＬによってほぼ決定される。冊子保持部８の長さＬを短くすればファイル１自体を薄くでき、携帯性を良くすることができる。綴じ孔部１１は冊子１０の外側に突出する形で設けられているため、ファイル1に冊子１０を多く綴じたとしても、ページめくり時に紙を破損する虞はない。また、冊子保持部８の長さＬを長くすれば、ファイル１に綴じられる冊子１０を多くすることができ、記入済みの冊子１０を保存するために使用することができる。
【００２８】
冊子１０の綴じ孔部１１を冊子保持部８に通した後、冊子保持部８に脱落防止部９の係合部９３を係合する。冊子保持部８に係合部９３を係合することで、冊子１０が脱落防止部９側へ移動しても、綴じ孔部１１は脱落防止部９に当接したところで止まるため、かばん等にファイル１を入れた状態で移動した時でも、冊子１０がファイル１から脱落することを防ぐことができる。
【００２９】
脱落防止部９は、背板１９の左端に帯９２と板９１で係止されているが、脱落防止部９は、表紙２に取り付けてもよく、或いは、ファイル１から独立して設けてもよい。ただし、ファイル１に係止することにより、紛失する心配がなくなる。
【００３０】
図９は、ファイルの第２実施例を示す図である。ここでは、第１実施例との違いを中心に説明する。背板２２は背表紙３よりも一回り小さい板状のものであり、左端に冊子保持部８が回動可能に設けられ、右端には脱落防止部２３が回動可能な状態で設けられている。脱落防止部２３は針金等で矢印形に形成したもので、先端に幅広部２３１があり、基端側に狭幅部２３２がある。広幅部２３１の最大幅Ｗ１は、冊子保持部８の幅Ｗ２よりも大きくなっている。また、脱落防止部２３には弾性力が備えられており、矢印に示すように図の上下方向から圧縮する力を加えることで、脱落防止部２３の幅Ｗ１を冊子保持部８の幅Ｗ２よりも小さくすることができる。
【００３１】
図１０は第２実施例のファイルに冊子を綴じた状態を示す図である。第２実施例のファイル１に冊子１０を綴じる手順は次の通りである。まず、冊子１０の綴じ孔部１１に冊子保持部８を挿通する。その後、冊子保持部８を回動し、背板２２に対して約９０度の角度に立ち上げた脱落防止部２３を差し込む。脱落防止部２３の幅Ｗ１は冊子保持部８の幅Ｗ２よりも大きいが、冊子保持部８を回動させ続けると、脱落防止部２３の幅Ｗ１が矢印方向に圧縮されて、冊子保持部８の幅Ｗ１が脱落防止部２３の幅Ｗ２よりも小さくなる。脱落防止部２３の矢印形状の後端は、凹部が形成されており、冊子保持部８が凹部に進入することで脱落防止部２３の幅Ｗ２は弾性力により元の幅に戻る。これによって、冊子保持部８は凹部から抜け出ることが無くなる。冊子１０が図の右側へ移動したときは、脱落防止部２３に綴じ孔部１１が当接するので、冊子１０がファイル１から脱落するのを防止できる。
【００３２】
また、本発明は、上記のような針金で形成した冊子保持部８だけではなく、平型の金属板や樹脂製の板であってもよい。その場合、脱落防止部９，２３によって冊子の脱落を防止するためには、冊子保持部の先端部分に、脱落防止部９の係合部９３や脱落防止部２３が挿通できるような孔が開いている必要がある。
【図面の簡単な説明】
【００３３】
【図１】本発明のファイルの構成図である。
【図２】冊子の第１実施例を示す図である。
【図３】冊子の第２実施例を示す図であり、（ａ）は綴じ孔部を冊子に取り付ける前の状態を示す図で、（ｂ）は綴じ孔部を冊子に取り付けた状態を示す図である。
【図４】冊子の第３実施例を示す図であり、（ａ）は斜視図、（ｂ）は上面図である。
【図５】冊子の第４実施例を示す図であり、（ａ）は冊子の斜視図、（ｂ）は綴じ孔部を冊子に取り付ける前の状態を示す図である。
【図６】冊子の第５実施例を示す図であり、（ａ）は斜視図、（ｂ）は見開き状態の正面図である。
【図７】ファイルの第１実施例を示す図である。
【図８】本発明のファイルに冊子を綴じた状態を示す図である。
【図９】ファイルの第２実施例を示す図である。
【図１０】第２実施例のファイルに冊子を綴じた状態を示す図である。
【符号の説明】
【００３４】
１              ファイル
２              表紙
３              背表紙
４              裏表紙
８              冊子保持部
９，２３        脱落防止部
１０            冊子
１１，１５      綴じ孔部
９３            係合部
【図１】
2007136771.tif 000003
【図２】
2007136771.tif 000004
【図３】
2007136771.tif 000005
【図４】
2007136771.tif 000006
【図５】
2007136771.tif 000007
【図６】
2007136771.tif 000008
【図７】
2007136771.tif 000009
【図８】
2007136771.tif 000010
【図９】
2007136771.tif 000011
【図１０】
2007136771.tif 000012